(57)【要約】【課題】鏡筒が光軸に対して偏心しても、外光を確実に遮光することのできるカメラのレンズ鏡筒を提供する。【解決手段】第１鏡筒２、この第１鏡筒に対して回動移動する第２鏡筒３、第１の鏡筒に対し光軸方向に移動する第３鏡筒５とを有し、第２鏡筒の先端部内周面に第３の鏡筒の外径よりもやや大きい内径を有するリング状の内向きフランジを有する第１の遮光部材３ｆを突出形成し、第１鏡筒に係合するリング状の支持体３２及び、該支持体と一体に設けられ弾性変形して第３鏡筒の外周面を圧接するリップ部３３ａを有する遮光シート３３を備えた第２の遮光部材３１を第２鏡筒と第１鏡筒との嵌合部近傍の空間内に配置し、遮光シートは、上記第３鏡筒が光軸に対して偏心することにより、支持体が光軸方向及びラジアル方向に移動した際に、リング状の内向きフランジを有する第１の遮光部材と第３の鏡筒の外周面との隙間からカメラ本体内に入射する光線を遮光する。【選択図】  図６
2007183685.tif 000002
【特許請求の範囲】
【請求項１】
遮光部材配置用の第１の切込段部を有する第１の鏡筒と、
上記第１の切込段部とともに空間を形成し、上記第１の鏡筒に対して回転移動する第２の鏡筒と、
上記第２の鏡筒の回転移動に連動して上記第１の鏡筒に対して光軸方向に移動する第３の鏡筒と、
上記第２の鏡筒の先端部内周面に突出形成した、上記第３の鏡筒の外径よりもやや大きい内径を有するリング状の内向きフランジを有する第１の遮光部材と、
上記第１の鏡筒の溝部と係合するための回転止め突起部を有するリング状の支持体と、当該支持体と一体に設けられ弾性変形することにより上記第３の鏡筒の外周面を圧接するリップ部を有する遮光シートと、を含み、上記第２の鏡筒と上記第１の切込段部とにより形成された空間内に配置された第２の遮光部材と、
を具備し、
上記第２の遮光部材を形成する上記支持体は、上記第１の鏡筒に対して所定以上回転しないように当該第１の鏡筒の上記溝部と係合され、さらに、上記第３の鏡筒が上記第１の鏡筒に対して光軸方向に移動した際に、当該第３の鏡筒と光軸方向へ相対移動可能に配置され、
上記遮光シートは、上記第３の鏡筒が光軸に対して偏心することにより、上記支持体が光軸方向及びラジアル方向に移動した際に、リング状の内向きフランジを有する上記第１の遮光部材と上記第３の鏡筒の外周面との隙間からカメラ本体内に入射する光線を遮光することを特徴とするレンズ鏡筒。
【発明の詳細な説明】
【技術分野】
【０００１】
本発明は、レンズ鏡筒、詳しくは光軸方向および／または回転方向に相対的に移動する鏡筒の間から入射する光線を防止する遮光部を有するレンズ鏡筒に関する。
【背景技術】
【０００２】
レンズのズーム機能や沈胴機能を備えたカメラは、レンズ筒，直進筒，回転筒，固定筒等の複数の鏡筒から構成されたレンズ鏡筒を有している。この種のカメラでは、上記鏡筒同士、及び、カメラ本体の外装カバーに対して鏡筒を、光軸方向および／または回転方向に相対的に移動させることにより上記ズーム機能，沈胴機能を実現する。
【０００３】
上記レンズ鏡筒において、鏡筒の相対移動時における駆動負荷を軽減するため、互いに対峙する鏡筒間、及び、カメラ本体の外装カバーと鏡筒との間には僅かな間隙が設けられるが、この間隙に充分な遮光処置がなされていないと、不要な外光が直接あるいは間接（２次反射または散乱）にカメラ本体内に進入し、フィルム面に到達してフィルムを感光させてしまう不具合を生じる。
【０００４】
従って、上記間隙からカメラ本体内に外光が進入するのを防止するための提案が従来、種々なされている。例えば、実開平５−６１７１１号公報に開示されているカメラの遮光装置は、図８に示すように、撮影レンズを保持する可動筒１０１の外径よりも内径が小さい円環状の合成樹脂製シート部材１０３ａを円環状の遮光シート台板１０３ｂに貼り合わせて形成した遮光部材１０３を、カメラ本体の前カバー１０２に固定し、上記シート部材１０３ａを上記可動筒１０１に圧接し、面接触させることによって、可動筒１０１とカメラ本体の前カバー１０２との間隙から外光が進入するのを防止するようにしている。
【０００５】
従来の遮光装置は、殆ど上述の構成のものが採用されている。 
【特許文献１】実開平５−６１７１１号公報
【発明の開示】
【発明が解決しようとする課題】
【０００６】
ところで、上記実開平５−６１７１１号で提案されるカメラの遮光装置は、可動筒の内壁面に一の弾性遮光手段（上記の例ではシート部材１０３ａ）のみを面接触させることで遮光を実現した機構である。しかし、このような構成による遮光装置では、該可動筒が光軸に対して偏心した場合に面接触が不安定となり、完全な遮光性能が得られないという問題点があった。
【０００７】
一方、近年、カメラの小型化は益々嘱望されるところにあり、その影響は鏡筒にも及んでいる。そして鏡筒を小型化するにあたり、内設される遮光装置もまた小型化する必要性が生じてきている。
【０００８】
しかしながら、上述の如き遮光装置を小型化すると以下に示す不具合、特に遮光性能が低下するという不具合が生じる虞がある。
【０００９】
まず、上記弾性遮光手段を光軸と垂直な方向（径方向）に小型化する場合に生じる不具合について言及する。
【００１０】
第１に、弾性遮光手段（シート部材１０３ａ）の支持部材（遮光シート台板１０３ｂ）の外径をカットして小型化を図ると、該シート部材の取り付け強度が低下する。これにより可動筒１０１に対する接触が不安定となり、完全な遮光性能が得られなくなるという不具合が生じる。
【００１１】
すなわち、該支持部材の外径を小さくすると該支持部材自体の剛性が低下し、鏡筒同士の相対移動によって支持部材が光軸方向の力を受けて円錐状（皿バネ状）の変形を起こしてしまう。これにより、シート部材のラップ量が小さくなり光が進入してしまうという不具合が生じる。
【００１２】
第２に、上記支持部材の径方向の肉厚を変えないで内径を小さくし、さらにシート部材のラップ部分をカットして小型化を図ると、カット量によってはラップ量が小さくなる。この場合、鏡筒（可動筒）の偏心等により外光が漏れやすくなる。
【００１３】
また、シート部材の曲折部分の曲率が小さくなり、鏡筒の負担が増えてしまう。すなわち、シート部材がある程度薄く形成されていても、かなりの負荷が鏡筒とシート部材との接触部分に発生して各鏡筒間の駆動負荷を増大させてしまう。
【００１４】
次に、上記弾性遮光手段を光軸方向に小型化する場合に生じる不具合について述べる。
【００１５】
第１に、上記シート部材１０３ａが可動筒１０１と接する光軸方向のラップ量を小さくすると、上記同様、鏡筒の偏心等により外光が漏れやすくなる。また、シート部材の曲折部分の曲率が小さくなり、上記同様、鏡筒の負担が増えてしまうという不具合が生じる。
【００１６】
第２に、シート部材のシート厚を薄くすることで小型化を図ると、該シート部材自体の遮光性が低下してしまう。すなわち、シート部材のシート厚を薄く形成した場合、外光がシート部材に直接当たると透過してしまう。しかも、シート部材を透過する際に光線が散乱されてしまうため、カメラ内に入射した光線はフィルム面を広範囲にわたって感光させてしまうという不具合が発生する。
【００１７】
第３に、シート部材の支持部材を薄くすることで小型化を図ると、剛性が低下してしまう。これにより可動筒に対する接触が不安定となり、上記同様、完全な遮光性能が得られなくなるという不具合が生じる。
【００１８】
本発明は、上記事情に鑑みてなされたもので、鏡筒が光軸に対して偏心しても、外光を確実に遮光することのできるカメラのレンズ鏡筒を提供することを目的とする。
【課題を解決するための手段】
【００１９】
上記目的を達成するために本発明の一態様によるレンズ鏡筒は、  遮光部材配置用の第１の切込段部を有する第１の鏡筒と、
上記第１の切込段部とともに空間を形成し、上記第１の鏡筒に対して回転移動する第２の鏡筒と、
上記第２の鏡筒の回転移動に連動して上記第１の鏡筒に対して光軸方向に移動する第３の鏡筒と、
上記第２の鏡筒の先端部内周面に突出形成した、上記第３の鏡筒の外径よりもやや大きい内径を有するリング状の内向きフランジを有する第１の遮光部材と、
上記第１の鏡筒の溝部と係合するための回転止め突起部を有するリング状の支持体と、当該支持体と一体に設けられ弾性変形することにより上記第３の鏡筒の外周面を圧接するリップ部を有する遮光シートと、を含み、上記第２の鏡筒と上記第１の切込段部とにより形成された空間内に配置された第２の遮光部材と、
を具備し、
上記第２の遮光部材を形成する上記支持体は、上記第１の鏡筒に対して所定以上回転しないように当該第１の鏡筒の上記溝部と係合され、さらに、上記第３の鏡筒が上記第１の鏡筒に対して光軸方向に移動した際に、当該第３の鏡筒と光軸方向へ相対移動可能に配置され、
上記遮光シートは、上記第３の鏡筒が光軸に対して偏心することにより、上記支持体が光軸方向及びラジアル方向に移動した際に、リング状の内向きフランジを有する上記第１の遮光部材と上記第３の鏡筒の外周面との隙間からカメラ本体内に入射する光線を遮光する。
【発明の効果】
【００２０】
本発明によるカメラのレンズ鏡筒は、鏡筒が光軸に対して偏心しても、外光を確実に遮光することができる効果を有する。
【発明を実施するための最良の形態】
【００２１】
以下、図示の実施の形態によって本発明を説明する。 
図１〜図４は本発明の第１の実施の形態に係り、図１は、本発明によるレンズ鏡筒を有するカメラの中央縦断面図である。
【００２２】
この実施の形態は、本発明を沈胴式のズームレンズ鏡筒に適用したものであって、レンズ鏡筒１は、カメラ本体に対して収納位置である沈胴位置と撮影可能な突出位置とを進退移動自在な可動筒及び固定筒を含んで構成されている。
【００２３】
このレンズ鏡筒１を有するカメラ本体２００は、図示されないカメラボディとこのカメラボディを覆う外装カバー１５と裏蓋２０とで、その主要部が構成されていて、カメラボディには、フィルム２０１の光軸方向の位置決めをするためのフィルムレール１５ｂが形成され、裏蓋２０にはフィルムを押圧するための圧板２１が取り付けられている。そして、カメラ本体２００の前面には、撮影位置に位置決めされたフィルム２０１に対向して上記レンズ鏡筒１が上記外装カバー１５の前面に形成された開口部１５ａから突出，沈胴自在に配設されている。
【００２４】
上記レンズ鏡筒１は、沈胴用の固定筒２に嵌合し固定筒２に対して回動自在なズーミング用の外枠としての回転筒３と、該回転筒３の回転動作に伴い固定筒２のカムによって進退駆動されるカム筒４と、このカム筒４に対し相対回転自在に嵌合し、固定筒２にガイドされて該カム筒４と同時に進退駆動される直進筒５と、カム筒４に嵌合し、回動が上記直進筒５に制限され、カム筒４のカムにより進退駆動されるレンズ保持筒６と、該レンズ保持筒６に進退自在に支持され、フォーカス用レンズである第１群レンズ７ａを保持する第１レンズ枠７と、該レンズ保持筒６と一体的に進退するシャッター９と、カム筒４のカムにより進退駆動され、ズーム用レンズである第２群レンズ８ａを保持する第２レンズ枠８とを有して構成されている。
【００２５】
上記固定筒２の基端部には外向フランジが形成されており、このフランジに雌ねじ２ｃが螺設されている。この雌ねじ２ｃには雄ねじが切られたねじ軸１２が螺合され、このねじ軸１２がカメラ本体に設けられた図示しない駆動ユニットからの駆動力により回転すると、上記固定筒２が沈胴位置あるいは突出位置に進退移動するようになっている。
【００２６】
上記固定筒２の外周面には、上記回転筒３が回動自在に嵌合されている。この回転筒３の先端部の内周面には周溝３ｄが設けられており、この周溝３ｄには上記固定筒２の先端外周に形成されたフランジ２ｇが嵌合されていて、上記回転筒３の固定筒２に対する光軸方向への相対移動が規制されている。また、上記回転筒３の基端側の外周面には駆動用ギアー３ｂが形成されており、このギアー３ｂは、ズーム用駆動軸１１の一端側に固定されたピニオンギアー１１ａに噛合されている。尚、このズーム用駆動軸１１の他端側に固定された伝達ギアー１１ｂには、カメラボディに設けられた図示しないズーム駆動ユニットのギアーが噛合されている。
【００２７】
さらに、上記固定筒２の内周面に嵌合される上記直進筒５の基端側の外周面には直進ガイド用のピン５ａが突出形成されており、このピン５ａは、上記固定筒２の内面に光軸方向に形成された直進溝２ｂに嵌合し、同直進筒５が光軸方向のみに移動可能となるよう規制している。
【００２８】
上記直進筒５の内側には、上記カム筒４が回動自在に嵌合されている。このカム筒４の基端側の外周面には周溝４ｄが設けられており、この周溝４ｄに上記直進筒５の基端側に形成された内向突条５ｃが嵌合されていて、カム筒４の上記直進筒５に対する光軸方向への相対移動が規制されている。また、カム筒４の基端側にはズーム用ピン４ａが外向に突出形成されており、このピン４ａは、上記固定筒２に部分円弧状に穿設された傾斜カム溝孔２ａと、上記回転筒３の内周面に光軸方向に穿設された直進溝３ａとに嵌合されている。
【００２９】
また、上記カム筒４の内周面には、部分円弧状の傾斜カム溝４ｂが設けられ、このカム溝４ｂに、上記第２レンズ枠８に突出形成されたピン８ｂが嵌入されている。
【００３０】
上記カム筒４の外周面側であって上記直進筒５の内周面側には、上記レンズ保持筒６が嵌合されるようになっている。このレンズ保持筒６の基端側には、その内，外面に突出するピン６ｂ，６ａが形成されており、内方に突出した上記ピン６ｂは上記カム筒４の外周面に部分円弧状に設けられた傾斜カム溝４ｃに嵌合され、外方に突出したピン６ａは上記直進筒５の内周面に光軸方向に設けられた直進溝５ｂに嵌合されている。
【００３１】
上記レンズ保持筒６の先端部内側には、上記第１レンズ枠７が配設されている。また、このレンズ保持筒６には、上記第１レンズ枠７を光軸方向に対して直進移動させてフォーカシングするための図示しない駆動機構が設けられている。そして、上記レンズ保持筒６には、上記第１レンズ枠７の後方にシャッター９が設けられている。
【００３２】
さらに、上記固定筒２の基端側の内向フランジと上記外装カバー１５の後側内壁との間にはベローズ１４が設けられ、上記裏蓋２０と共に、上記フィルム２０１に対して光密が保たれている。尚、上記ベローズ１４は、レンズ鏡筒１の突出，沈胴動作に伴い伸縮するようになっている。
【００３３】
このように構成されたレンズ鏡筒１の動作を簡単に説明する。 
まず、ねじ軸１２が図示されない駆動ユニットからの駆動力によって回転し、沈胴位置にあるレンズ鏡筒１を撮影位置に繰り出す。そして、レンズ鏡筒１が撮影位置に繰り出された後、図示しないズーム駆動ユニットからの駆動力がピニオンギアー１１ａを介して回転筒３に伝達されると、回転筒３が回転する。この回転筒３の回転力は直進溝３ａに嵌合されたズーム用ピン４ａに伝達され、ズーム用ピン４ａがカム溝孔２ａに沿って回動すると、カム筒４が上記固定筒２に対して光軸Ｏの周りに回転しながら光軸方向に進退移動する。このとき、上記カム筒４の移動に伴い直進筒５が回動しない状態で上記カム筒４と一体的に光軸方向に進退移動する。また、上記カム筒４が回転すると、この回転力はカム溝４ｃ，４ｂに嵌合されたピン６ｂ，ピン８ｂによってレンズ保持筒６，第２レンズ枠８に伝達され、上記レンズ保持筒６を上記直進筒５に対して相対的に光軸方向に直進移動すると共に、上記第２レンズ枠８が上記直進筒５に対して相対的に光軸方向に進退移動する。これらの動作により第１群レンズ７ａと第２群レンズ８ａとの位置が制御され、上記レンズ鏡筒１は、テレ位置からワイド位置までを光軸方向に対して伸縮自在に動作する。尚、図１は長焦点側にレンズ７ａ、８ａをセットした状態である。
【００３４】
このように構成されたレンズ鏡筒１の、上記回転筒３の先端部の内周、および、上記直進筒５の先端部の内周、および上記外装カバー１５の開口部１５ａには、本発明による遮光部Ａ，Ｂ，Ｃが設けられている。
【００３５】
次に、上記遮光部Ａ，Ｂ，Ｃの構成について、図２ないし図５によって詳しく説明する。 
なお、ここでは上記遮光部Ａ，Ｂ，Ｃのうち、遮光部Ａの構成について説明するが、上記遮光部Ｂ，Ｃの構成も、上記遮光部Ａと同様な構成となっている。
【００３６】
図２は、上記図１のレンズ鏡筒に設けられた遮光部Ａの要部拡大断面図、図３は、上記図２のI−I線に沿う断面図、図４は、遮光リングを示す斜視図、図５は、リップ部の断面形状をそれぞれ示す説明図であって、図５（ａ）は上記図４のII−II線に沿う拡大断面図である。
【００３７】
上記遮光部Ａの構成を説明するに先立ち、上記固定筒２および上記回転筒３の先端部分の構成について、今少し詳しく説明する。 
図２に示すように、上記回転筒３の先端面には、内周側に向けて遮光部材配置用の切込段部３ｅが形成されており、これによって形成された内向フランジ３ｃの内面には、上記固定筒２の先端面２ｈが当接している。この先端面２ｈの内周側には遮光リング配置用の切込段部２ｄが形成されており、この切込段部２ｄによって、上記フランジ３ｃの内周側の背面とこれに対向する切込段部面との間に所定の間隙が形成される。そして、固定筒２の先端フランジ部２ｅの外周面側には、後述する遮光リングに形成された回転止め突起部３２ａが突入する放射方向の溝２ｆが対称位置に形成されている（図２および図３参照）。
【００３８】
上記遮光部Ａは、遮光部材３０と遮光リング３１とで構成されている。 
上記遮光リング３１は、図２ないし図４および図５（ａ）に示すように、支持体３２と遮光シート３３とで構成されている。
【００３９】
上記支持体３２は、外径が上記切込段部２ｄの外径よりも小径に形成され、内径が上記直進筒５の外径よりも小径に形成された金属材料からなるドーナッツ円盤状の部材で形成されていて、この支持体３２の外周面の対称位置には上述した一対の回転止め突起部３２ａ，３２ａ（図４参照）が一体に形成されている。
【００４０】
上記遮光シート３３は、上記ドーナッツ状支持体３２に黒色シリコンゴムの環状体を成型したものである。このシート３３は、外径が上記支持体３２の外径よりも小径に形成され、内径が上記直進筒５の外径よりも小径に形成されたドーナッツ円盤状の部材であって、その内周縁部が直進筒５の外周面に圧接するリップ部３３ａとなっている。この遮光シート３３の内側面上には上記支持体３２の内周面に当接するリング状の突出部３３ｂが形成されている。尚、上記突出部３３ｂの突出高さは上記支持体３２の板厚と同じに形成されている。
【００４１】
上記遮光シート３３は、その内面側の上半分と突出部３３ｂの上面側とが上記支持体３２に成型により固着されて、支持体３２と共に上記遮光リング３１を構成しており、この状態で支持体３２から内方に突出した部分、つまり上記遮光シート３３の上記突出部３３ｂよりも内方に延び出した部分がリップ部３３ａとなる。このリップ部３３ａの内径は自然状態で直進筒５の外径よりも小さくなっている。
【００４２】
このように構成された上記遮光リング３１は、上記支持体３２の回転止め突起部３２ａ，３２ａを上記固定筒２の溝２ｆ，２ｆ（片方のみ図２及び図３に図示）に係合した状態で、上記遮光リング配置用の切込段部２ｄ内に配置されている。この状態で、上記リップ部３３ａは、弾性変形されて屈曲した状態で上記直進筒５の外周面に圧接される。上記切込段部２ｄの光軸方向の間隙は、上記遮光リング３１の厚さと略同じか、あるいは上記遮光リング３１の厚さよりも少し大きい程度に形成されており、上記直進筒５が固定筒２に対して、光軸方向に移動すると、遮光リング３１と直進筒５は光軸方向に相対移動するようになっている。また、上記支持体３２は、上記直進筒５に対してラジアル方向に所定量だけ移動可能に形成されており、ガタ等によって上記直進筒５が光軸に対して偏心した場合に、上記遮光リング３１は、上記リップ部３３ａが上記直進筒５の外周面に圧接した状態で、ラジアル方向に、上記直進筒５と一体的に移動するようになっている。さらに、上記固定筒２の先端部に形成された溝２ｆは、上記回転止め突起部３２ａに対して回転方向に所定の幅を有して形成されており、上記遮光リング３１は上記固定筒２の回転方向に対して所定の自由度を持っている。また、上記突起部３２ａは、遮光リング３１が回転筒３から摩擦回転力を受けても同リング３１が所定量以上回転しないように上記溝２ｆに係合されているもので、突起部３２ａに対して溝２ｆが幅広くなっているのは、遮光リング３１が直進筒５の偏心によって突起部３２ａが溝２ｆの壁に押圧されリップ部３３ａが変形し、そこから光線がカメラ内に進入するのを防止するためである。
【００４３】
上記支持体３２を形成する材料は、錆びにくく、また、剛性の高い金属材料であるリン青銅やステンレス等が採用されている。その他にも、鉄、銅、アルミ等を所定の割合で混合した合金を用いてもよい。
【００４４】
尚、上記支持体３２の回転止め突起部３２ａは、本実施の形態では外周の２カ所に形成されているが、この回転止め突起部３２ａの数はこれに限らず、１カ所あるいは３カ所以上であってもよい。また、上記回転止め突起部３２ａは、上記支持体３２をプレスあるいはエッチングで製作するとき、大量生産する際の、各支持体間のつなぎ部として利用できる。また、該突起部３２ａが無くても本発明の遮光効果は充分に得られることは勿論である。
【００４５】
一方、上記遮光部材３０は上記リップ部３３ａの直前に配設される。つまり、回転筒３の前端面に形成された切込段部３ｅに基部を接着固定されて配設される。この遮光部材３０は、外径が上記回転筒３の内径と略同径に形成され、内径が上記直進筒５の外径よりも小径に形成されたリング状の部材である。この遮光部材３０の断面形状は、図２に示すように、外周側に接着面を有する長方形の基部３０ａと、該基部３０ａの内周側から延出された屈曲部３０ｂと、該屈曲部３０ｂから前方に延び出した前側リップ部３０ｄと後方に延び出した後側リップ部３０ｃとを有した形状になっている。
【００４６】
そして、この遮光部材３０は、上記基部３０ａの接着面が上記切込段部３ｅの内周面に接着固定されており、上記前側リップ部３０ｄと後側リップ部３０ｃが直進筒５の外周面に圧接されている。
【００４７】
上記遮光部材３０および上記遮光シート３３を形成する材料は、そのリップ部が大きな弾性変形を求められるのでエラストマー材料が好ましく、具体的にはゴムが最適である。本実施の形態では、耐温湿度，耐薬品，耐候性に優れたシリコンゴムあるいはフッ素ゴムが採用されている。
【００４８】
また、シリコンゴムおよびフッ素ゴム中に含まれる低分子量のシリコン樹脂，フッ素樹脂のしみ出しを防ぐと共に摺動負荷を小さくするために、上記リップ部には、テトラフルオロエチレン（以下、テフロン（登録商標）と称す）入りの樹脂コーティングが施してある。この樹脂コーティングは、塗装によって行われるものであるが、シリコンゴムやフッ素ゴムは樹脂の濡れ性が悪いため、予めプライマーを塗布して樹脂塗料の付着性を向上させた後に行われる。その他のコーティング方法としてはキシレン等をＣＶＤ（Ｃｈｅｍｉｃａｌ  Ｖａｐｏｒ  Ｄｅｐｏｓｉｔｉｏｎ）法によって行ってもよい。なお、このＣＶＤ法によるキシレンのコーティングは摩擦係数がテフロン（登録商標）入り樹脂の塗装よりも大きいものの、均一な膜を形成することができるので安定した遮光リングの動作が得られる。
【００４９】
以上のように構成された上記遮光部Ａの作用及び効果を以下に説明する。 
上記遮光部Ａにおいて、通常の状態、即ち、固定筒２、回転筒３、および、直進筒５が光軸に対して偏心していない状態では、カメラ本体内に入射される外光は遮光部材３０によって十分に遮光されるので、直接光がカメラ内に入り込むことはない。
【００５０】
ところが、上記各筒が光軸に対して移動し、固定筒２に対して回転筒３が偏心したり、直進筒５が固定筒２に対して偏心したりして、遮光部材３０の前側及び後側のリップ部３０ｄ，３０ｃが偏心量分だけ変形させられて、上記直進筒５との間に隙間が生じたとする（つまり、上記前側，後側リップ部３０ｄ，３０ｃが、図２に点線で示すような状態となったとする）と、この隙間から外光が入射し、遮光部材３０の後方へ外光の直射光が入り込む。しかし、この直接入射光は遮光リング３１のリップ部３３ａによって遮光される。即ち、上記固定筒が光軸に対して偏心した場合でも、上記遮光リング３１は上記直進筒５と共に移動するので、上記リップ部３３ａは上記直進筒５の外周面に圧接保持された状態にあり、このリップ部３３ａによって入射された外光が遮光される。
【００５１】
ここで、上記遮光部材３０で遮光されずに上記遮光リング３１まで直接到達する入射光は、上記直進筒５に平行であって該直進筒５の外周面すれすれのところを通過して入射される光である。このため、この直接入射光は、上記遮光リング３１のリップ部３３ａの先端面に当たる（図２参照）。この場合、上記リップ部３３ａの直進筒５に圧接された部分の長さが入射光に対するリップ部３３ａの厚みとなるので、たとえ、遮光シート３３の肉厚を薄く形成したとしても入射光に対して充分な厚みを有することとなる。換言すれば、上記遮光シート３３の肉厚を薄く形成することができ、本実施の形態では、遮光シート３３のリップ部３３ａの最小肉厚を０．１ｍｍまで縮小することができる。尚、カーボンあるいは酸化鉄からなる黒色顔料を５重量％程度混入したシリコンゴム（顔料を５重量％以上混入するとシリコンゴムの特性が低下する）からなる遮光シート３３のリップ部３３ａを０．１ｍｍの肉厚に形成した場合、このリップ部３３ａは、直接光に対しては多少の光を透過するが、反射光等の間接光に対しては充分な遮光性能を有するものである。しかし、上述したように、上記リップ部３３ａの直進筒５の外周面に圧接された長さ分が直接光に対する厚みとなるので、直接光に対するシート厚を稼ぐことができ、外光が上記リップ部３３ａを透過してカメラ本体内に入射することがない。
【００５２】
上記遮光部材３０及び上記遮光シート３３の表面には、摺動抵抗を少なくするために、テフロン（登録商標）粒子を樹脂に混合した潤滑剤がコーティングされており、これによりリップ部３３ａは直進筒５等の筒体の外周面に対して大きな負荷とならずに摺動することができる。
【００５３】
また、上記遮光リング３１は、スラスト方向、及び、回転方向に対して、所定量だけスライド可能に構成されており、さらに、上記遮光シート３３の表面にはテフロン（登録商標）樹脂等がコーティングされているので、上記レンズ鏡筒１の駆動時にフランジ３ｃと遮光シート３３との摩擦を軽減でき、上記支持体３２にかかる応力を軽減することができる。このため、支持体３２の板厚及びリング幅を小さく形成しても、支持体３２の剛性を維持することができる。本実施の形態では、上記支持体３２は、板厚を０．２ｍｍ，リング幅０．７ｍｍ，リップ部を含めた遮光リングのリング部の幅は１ｍｍ，リップ部を含めた光軸方向の板厚は０．３ｍｍと非常に小型なものとなっている。なお、上記支持体３２の板厚は、設計上の剛性が得られるならば可視光に対する不透光性が得られる、例えば、０．０１ｍｍレベルまで縮小してもよい。
【００５４】
従って、上記遮光リング３１は、従来の同様な遮光リングに比べて、板厚で１／２，リング幅で１／３程度に小型化されたものとなる。
【００５５】
本実施の形態では、遮光部として上記遮光リング３１の他に上記遮光部材３０を有するが、この遮光部材３０は、上記各筒同士が偏心したとき等も充分外光を遮光するような高性能なものでなくてもよいので、構造を簡素化でき、しかも小型化が容易である。
【００５６】
このように、本発明の上記第１の実施の形態によると、遮光部材と鏡筒との摩擦が小さく、且つ、レンズの光軸方向及び鏡筒の径方向に対し小型で簡単な構造で、互いに対峙する鏡筒同士および鏡筒とカメラ本体の外装カバーとの間を遮光するカメラのレンズ鏡筒を提供することができる。
【００５７】
図５（ｂ），（ｃ）は、上記遮光リング３１における遮光シート３３の他の例をそれぞれ示したものである。
【００５８】
図５（ｂ）に示す遮光シート３３１は、断面形状に示すように、リップ部３３１ａが支持体３２に対して所定の角度を有して形成されている点と、該リップ部３３１ａの先端部分が半円状に形成されている点が、前述の図５（ａ）に示す遮光シート３３と異なる。
【００５９】
このように、遮光シートのリップ部を所定の角度をつけて全体として円錐面を有するように形成することでリップ部３３１ａの屈曲方向が決まり、遮光リング３１１を直進筒５に装着したとき、安定した遮光リングの作動が得られる。また、リップ部３３１ａの先端を半円状に形成することによって角部がなくなり、上記遮光リング３３１のより滑らかな作動を得られる。
【００６０】
また、図５（ｃ）に示す遮光リング３１２は、その遮光シート３３２が指示体３２に対して断面「コ」の字状の接着固定部３３２ｂを有するように形成され、この接着固定部３３２ｂの座部から垂直下方にリップ部３３２ａが延出されている。
【００６１】
このように形成することで、上記遮光シート３３２の上記支持体３２に対する、より強力な固着力を実現することができる。
【００６２】
尚、指示体３２へのリップ部の固着成型は、支持体の内周面だけでも勿論可能であり、その場合には、遮光リングの光軸方向の厚みは最小にすることができる。
【００６３】
また、前述の図５（ａ）、および、図５（ｂ），（ｃ）において、上記支持体３２の内周面に接着される、リップ部と同一の部材で形成された突出部３３ｂ，３３１ｂ、接着固定部３３２ｂは、遮光リングに異常な状態で圧力がかかり、金属製の支持体３２が直進筒５に押しつけられた場合でも、上記支持体３２が上記直進筒５に接触して該直進筒５の外周面を傷つけることを防止することができる。
【００６４】
本実施の形態では、上記遮光シートの形状は上記図５（ａ），（ｂ），（Ｃ）に示すように、支持体３２の内周全周に亘って当接する突出部３３ｂ，３３１ｂ、接着固定部３３２ｂを設けているが、支持体３２の内周面の３カ所以上に当接する部分を設ければ同様の効果を得ることができる。
【００６５】
次に、図６に本発明の第２の実施の形態のレンズ鏡筒を示す。 
本実施の形態では、前記第１の実施の形態で採用した遮光部材３０に代えて、上記回転筒３の先端部内周面に、直進筒５の外径よりもやや大きい内径を有するリング状の内向フランジを遮光部材３ｆとして突出形成した点が上記第１の実施の形態と異なる。その他の構成は、上記第１の実施の形態と略同様であるので、同じ役目をする部材には同符号を付して説明を省略する。
【００６６】
図６に示す状態は、直進筒５が固定筒２に対して偏心し、且つ、回転筒３が上記固定筒２に対して偏心して、上記回転筒３と上記直進筒５とが最も偏心した状態である。
【００６７】
この状態で、外光が入射すると回転筒３の前端に設けられた遮光部材３ｆにより入射光は制限される。このとき、光軸に対して最も角度を有するもので図中に矢印で示す外光は、上記リップ部３３ａの厚さｔに対して充分厚いｌの厚さを通過しなければカメラ本体内に入射することができない。このため、前述の第１の実施の形態と同様に、リップ部３３ａの厚さを直接光を完全に遮光することのできる厚さに形成することなく充分な遮光効果を得ることができる。
【００６８】
このように、この第２の実施の形態では、前述の本発明の第１の実施の形態で採用した遮光部材３０をリップ部３３ａの前方に設けられたフランジで形成することができる。
【００６９】
図７は、本発明の第３の実施の形態のレンズ鏡筒を示す。 
この第３の実施の形態では、採用される遮光シートの形状が前述の第１，２の実施の形態と異なり、遮光シート３３の、自然状態で下方に垂下したリップ部３３ａの先端部に前方に向けて突出するリング状の突出片３３ｃを形成したものである。その他の構成は上記第２の実施の形態と同様であるので、同じ部材には同符号を付して説明を省略する。
【００７０】
尚、図７に示す状態は、前述の第２の実施の形態と同様、直進筒５が固定筒２に対して偏心し、且つ、回転筒３が上記固定筒２に対して偏心して、上記回転筒３と上記直進筒５とが最も偏心した状態である。
【００７１】
上記遮光リング３１は、上記直進筒５に組み込まれたとき、遮光シート３３の上記突出片３３ｃが光軸に対して垂直に配置される。そして遮光部材３ｆで遮光されずに直接入射する外光は、まず、上記突出片３３ｃに入射するが、ここを透過する光は散乱光となるので、この散乱光に対しては、この突出片３３ｃに連設されたリップ部３３ａで完全に遮光される。よって、この場合もリップ部３３ａの厚さを、直接光を完全に遮光することのできる厚さに形成することなく充分な遮光効果を得ることができる。
【００７２】
このように、本実施の形態では、前述の本発明の第２の実施の形態と同様に、より簡単な構造で遮光部を形成することができる。
【００７３】
以上説明したように上記実施形態によれば、レンズ鏡筒の遮光部を従来の遮光部に比べ、光軸方向のスペースで１／２程度、径方向のスペースで１／３程度の空間に納めることができ、きわめて小型なものとすることができる。また、遮光リングは、構成が簡単であるため、リング状板材に成型を行って製造することができ、製造コストを低く抑えることができる。また、従来問題になっていた作動力量についても、リップ部の肉厚を０．１ｍｍ程度ときわめて薄く形成することができるので、レンズ鏡筒の作動時の駆動負荷を軽減することができる。
【００７４】
［付記］
上記発明の実施の形態により以下のような構成の発明を得ることができる。
【００７５】
（１）カメラ本体に対して固定あるいは移動可能に設けられた第１鏡筒と、
この第１鏡筒に嵌入し、該第１鏡筒に対して軸方向に相対移動可能に設けられた第２鏡筒と、
上記第１鏡筒と第２鏡筒との嵌合部分近傍に設けられ、上記第２鏡筒の外径よりも小さな外径を有し、弾性変形することにより上記第２鏡筒の外周面と圧接するリップ部と、該リップ部と一体で剛性を有するリング状の支持体とからなり、上記第１鏡筒に対しスラスト方向に位置決めされ、ラジアル方向には変位可能に保持され、上記第１鏡筒と第２鏡筒との隙間からカメラ本体内に入射する光線を遮光する遮光リングと、
上記リップ部の前方に設けられ、該リップ部の薄肉部分を透過して上記カメラ本体内に入射する入射光を遮光する遮光部材と、
を具備することを特徴とするレンズ鏡筒。
【００７６】
（２）上記遮光部材は、上記リップ部の前方に設けられた第１鏡筒のフランジである、付記（１）に記載のレンズ鏡筒。
【００７７】
（３）上記遮光部材は、上記リップ部の前方に設けられたフランジである、付記（１）に記載のレンズ鏡筒。
【００７８】
（４）上記遮光部材は、上記リップ部の前方に配置され、上記第１鏡筒に固着され、上記第２鏡筒の外周に圧接されている、付記（１）に記載のレンズ鏡筒。
【００７９】
（５）上記リップ部は、ゴムにより形成された、付記（１）に記載のレンズ鏡筒。
【００８０】
（６）上記リップ部は、シリコンゴムである、付記（５）に記載のレンズ鏡筒。
【００８１】
（７）上記リップ部は、フッ素ゴムである、付記（５）に記載のレンズ鏡筒。
【００８２】
（８）上記支持体の外周部には、上記リップ部を形成するゴムが存在せず、全周に亘って支持体の外周部が露呈されている、付記（５）に記載のレンズ鏡筒。
【００８３】
（９）上記リップ部と第２鏡筒との摺動面には、潤滑表面処理が施されている、付記（１）に記載のレンズ鏡筒。
【００８４】
（１０）上記潤滑表面処理は、テトラフルオロエチレンを含有する樹脂材を塗装もしくはコーティングすることにより施される、付記（９）に記載のレンズ鏡筒。
【００８５】
（１１）上記潤滑表面処理は、キシレンをＣＶＤコーティングすることにより施される、付記（９）に記載のレンズ鏡筒。
【００８６】
（１２）上記遮光リングの支持体は、不透明な金属である、付記（１）に記載のレンズ鏡筒。
【００８７】
（１３）上記支持体は、リン青銅である、付記（１２）に記載のレンズ鏡筒。
【００８８】
（１４）上記支持体は、ステンレスである、付記（１２）に記載のレンズ鏡筒。
【００８９】
（１５）上記支持体は、第１鏡筒の凹部に係合する凸部を有する、付記（１）に記載のレンズ鏡筒。
【００９０】
（１６）上記リップ部は、上記支持体と成型により固着されている、付記（１）に記載のレンズ鏡筒。
【００９１】
（１７）上記支持体における上記第２鏡筒側周面に、該支持体の周面が第２鏡筒の周面に接触しないように弾性を有する部材を設けた、付記（１）に記載のレンズ鏡筒。
【００９２】
（１８）上記弾性を有する部材は、リップ部と一体的に形成されている、付記（１７）に記載のレンズ鏡筒。
【００９３】
（１９）上記第１鏡筒は、少なくとも撮影時にカメラ本体に対して不動にされる固定筒である、付記（１）に記載のレンズ鏡筒。
【００９４】
（２０）レンズ鏡筒は以下を含む。
【００９５】
互いに相対移動可能で、使用状態において一方の内周部分と他方の外周部分とが重畳した状態となる第１及び第２の鏡筒、
上記第１の鏡筒の一端部側に設けられ、上記使用状態時において該一端部側から入光する光を遮光する遮光部分、
上記第１の鏡筒に設けられた遮光部分よりも該第１の鏡筒の他端部側に設けられ、上記第２の鏡筒の外周部分に圧接されて弾性変形することにより上記第１の遮光部分を通過してしまった光を最終的に遮光する圧接遮光部材、
（２１）  上記（２０）において、
上記圧接遮光部材は剛性を有するリング状の支持体と、該支持体に固定され、弾性変形することにより上記第２鏡筒の外周面と圧接する薄肉のリップ部を有する弾性部材とを有している。
【００９６】
（２２）  上記（２１）において、
上記リップ部は、上記第２の鏡筒に対してスラスト方向には位置決めされ、ラジアル方向には変位可能に保持されている。
【００９７】
（２３）  上記（２０）において、
上記圧接遮光部材と上記第１の鏡筒は、該第１の鏡筒の光軸方向には移動可能で、回転方向は互いに回転不可能に構成されている。
【００９８】
（２４）  上記（２０）において、
上記圧接遮光部材は、凸状の突起部を有した剛性のあるリング状支持体と該リング状支持体と一体に設けられていて弾性変形することにより上記第２鏡筒の外周面と圧接するリップ部を有する弾性部材とによって構成され、上記第１の鏡筒の内径部には該圧接遮光部材が該第１の鏡筒の光軸方向には移動可能で、回転方向は互いに回転不可能となるように上記突起部が係合する凹状溝部が形成されている。
【００９９】
（２５）  上記（２１）において、
上記リップ部は、上記第１の鏡筒側に突出し、内径がリング状でその断面がＬ字状をしていて、使用状態時に上記第２鏡筒によって位置決めされた際に該Ｌ字状部位と該Ｌ字状部位を支持する基部とによって２重に遮光する。
【０１００】
（２６）  上記（２０）において、
上記遮光部分は、上記第１の鏡筒と上記第２の鏡筒との間隙から入る外光の一部または全てを遮光する。
【０１０１】
（２７）  上記（２０）において、
上記遮光部分は、上記第１の鏡筒に形成されたフランジ部である。
【０１０２】
（２８）  上記（２７）において、
上記フランジ部には上記第２鏡筒の外周面と圧接して最初に遮光する弾性部材が設けられている。
【０１０３】
（２９）レンズ鏡筒は以下を含む。
【０１０４】
カメラ本体に対して固定あるいは移動可能に設けられた第１の鏡筒、
上記第１の鏡筒内で該第１の鏡筒に対して軸方向に相対移動可能に設けられた第２鏡筒、
上記第１の鏡筒の一端部側に設けられ、上記使用状態時において該一端部側から入光を遮光する遮光部分、
上記第１の鏡筒に設けられた遮光部分よりも該第１の鏡筒の他端部側に設けられ、上記第２の鏡筒の外周部分に圧接されて弾性変形することにより上記第１の遮光部分を通過してしまった光を最終的に遮光する圧接遮光部材、
（３０）  上記（２９）において、
上記圧接遮光部材は剛性を有するリング状の支持体と、該支持体に固定され、弾性変形することにより上記第２鏡筒の外周面と圧接する薄肉のリップ部を有する弾性部材とを有している。
【０１０５】
（３１）  上記（３０）において、
上記第１の鏡筒に設けられた遮光部分は、上記第１の鏡筒と上記第２の鏡筒との間隙から入る外光の量を低減し、上記薄肉のリップ部近傍に到達する外光の量を減光する。
【０１０６】
（３２）  上記（３０）において、
上記弾性部材は支持体の外周部には存在せず、上記支持体の外周部は露呈されている。
【０１０７】
（３３）  上記（２９）において、
上記圧接遮光部材は、凸状の突起部を有した剛性のリング状支持体と該リング状支持体と一体に設けられていて弾性変形することにより上記第２鏡筒の外周面と圧接するリップ部を有する弾性部材とによって構成され、上記第１の鏡筒の内径部には該圧接遮光部材が該第１の鏡筒の光軸方向には移動可能で、回転方向は互いに回転不可能となるように上記突起部が係合する凹状溝部が形成されている。
【図面の簡単な説明】
【０１０８】
【図１】本発明の第１の実施の形態に係り、本発明によるレンズ鏡筒を有するカメラの中央縦断面図、
【図２】上記図１のレンズ鏡筒に設けられた遮光部の要部拡大断面図、
【図３】上記図２中のI−I線に沿う断面図、
【図４】遮光リングの斜視図、
【図５】リップ部の断面形状をそれぞれ示す要部断面図、
【図６】本発明の第２の実施の形態を示すレンズ鏡筒における遮光部の要部拡大断面図、
【図７】本発明の第３の実施の形態を示すレンズ鏡筒における遮光部の要部拡大断面図、
【図８】従来のレンズ鏡筒における遮光部材の一例を示す要部拡大断面図、
【符号の説明】
【０１０９】
１      …      レンズ鏡筒
２      …      固定筒（第１鏡筒）
３      …      回転筒（第１鏡筒）
５      …      直進筒（第２鏡筒）
３０    …      遮光部材
３１    …      遮光リング
３２    …      支持体
３３ａ  …      リップ部
【図１】
2007183685.tif 000003
【図２】
2007183685.tif 000004
【図３】
2007183685.tif 000005
【図４】
2007183685.tif 000006
【図５】
2007183685.tif 000007
【図６】
2007183685.tif 000008
【図７】
2007183685.tif 000009
【図８】
2007183685.tif 000010